(57)【要約】【課題】  総量やロケーション別の在庫実態分析では、在庫削減のためにどのような施策を実施すべきか判断することができなかった。【解決手段】  現状在庫分析用のパラメータ設定のステップと、在庫決定要因別現状在庫分析のステップと、在庫決定要因別現状在庫分析結果を照会するステップと、効果試算用のパラメータ設定のステップと、在庫削減施策別効果試算のステップと、在庫削減施策別効果試算結果を照会するステップより構成することにより、階層的な在庫の管理を実現することを可能にした在庫診断方法である。【選択図】図１
2005212932.tif 000002
【特許請求の範囲】
【請求項１】
在庫診断に関する分析の結果とその分析結果から導かれる施策、当該施策の分析方法及び当該施策の評価方法の入力を受け付け、
受け付けられた施策を施策情報に、前記分析方法を示す分析方法情報に、前記評価方法を示す評価方法情報に、定式化する変換を実行し、
変換された施策情報、分析方法情報および評価方法情報を対応付けて記憶装置に記憶しておき、
在庫診断対象の施策の入力を受け付け、
受け付けられた分析対象の施策に対応する施策情報を前記記憶装置から特定し、
特定された施策情報に対応する評価方法情報および分析方法情報を検索することにより、在庫診断を実行する在庫分析評価方法。
【発明の詳細な説明】
【技術分野】
【０００１】
本発明は、各サプライチェーン上に在庫されている製品在庫について、在庫決定要因別に在庫を分析する方法と、在庫削減施策別の削減効果を試算する方法に関する発明である。
【背景技術】
【０００２】
サプライチェーン上の在庫を削減するためには現状の在庫実態を把握することが不可欠であるが、在庫実態の把握方法として直接在庫削減化対策に結びつく区分で在庫の層別化するということは行われておらず、総量やロケーション別在庫量等で区分していた。
【０００３】
また、いかなる在庫状態パターンにも適切な在庫制御処理を実現するものとして特許文献１がある。
【０００４】
【特許文献１】特開２００２−２４４７０９号公報
【発明の開示】
【発明が解決しようとする課題】
【０００５】
上記のような、総量やロケーション別の在庫実態分析では、在庫削減のためにどのような施策を実施すべきか判断することができなかった。
【課題を解決するための手段】
【０００６】
上記の課題を解決するために、本発明では、現状在庫分析用のパラメータ設定のステップと、在庫決定要因別現状在庫分析のステップと、在庫決定要因別現状在庫分析結果を照会するステップと、効果試算用のパラメータ設定のステップと、在庫削減施策別効果試算のステップと、在庫削減施策別効果試算結果を照会するステップより構成した。
【発明の効果】
【０００７】
本発明によれば、適切な在庫管理を実現することが可能になる。
【発明を実施するための最良の形態】
【０００８】
以下、本発明の実施の形態を説明する。
【０００９】
図１は、本発明を行うためのシステム構成を示した図である。
【００１０】
また、図２は物流ネットワークを示した図である。
【００１１】
また、図３〜図２１は、図１を構成する各記憶装置に格納されたファイルのテーブル図を示している。
【００１２】
また、図２２〜２７は、本発明を実施するためのフローチャートを示している。
【００１３】
図１のように、現状在庫分析及び在庫削減施策の効果試算の条件パラメータを登録したり結果を照会する顧客端末（１０，３０）及び、条件パラメータに基いて現状在庫分析及び在庫削減施策の効果試算を実行する演算装置（５０）、演算装置（５０）で各種処理を実行するための各種ファイル（１１０〜４９０）により構成されている。
【００１４】
拠点別在庫実績ファイル（１１０）及び出荷実績ファイル（１３０）、商品マスタ（１５０）は現状在庫分析及び在庫削減施策の効果試算を行うための基礎データである。
【００１５】
供給（生産）ロットまとめ算出パラメータファイル（１７０）、正味（需給管理）サイクル算出パラメータファイル（１９０）、正味安全在庫算出パラメータファイル（２１０）、サプライチェーン分散在庫（拠点補充条件）算出パラメータファイル（２３０）は、現状在庫分析を実施するための条件パラメータを蓄積するファイルである。
【００１６】
供給（生産）ロットまとめ算出（改善後）パラメータファイル（２５０）、正味（需給管理）サイクル算出（改善後）パラメータファイル（２７０）、正味安全在庫算出（改善後）パラメータファイル（２９０）、サプライチェーン分散在庫（拠点補充条件）算出（改善後）パラメータファイル（３１０）は、在庫削減施策の効果試算を行うため、削減施策を実施した後の在庫を分析するための条件パラメータを蓄積するファイルである。
【００１７】
在庫決定要因別在庫分析結果ファイル（３３０）は、現状在庫分析の結果を蓄積するファイルである。
【００１８】
在庫削減効果金額換算パラメータファイル（３５０）及び輸送コスト変更額蓄積ファイル（３７０）、生産（段取り）コスト変更額蓄積ファイル（３９０）は、金額換算条件及び削減効果金額を蓄積したファイルである。
【００１９】
時間軸要素による効果試算結果ファイル（４１０）及び、サプライチェーン要素による効果試算結果ファイル（４３０）、ロット要素による効果試算結果ファイル（４５０）、顧客サービス要素による効果試算結果ファイル（４７０）、業務の仕組み要素による効果試算結果ファイル（４９０）は、在庫削減施策別効果試算結果を蓄積するファイルである。
【００２０】
なお、この実施形態では演算装置（５０）と顧客端末（１０，３０）を使ったネットワーク経由で情報をやり取りする構成を例としたが、要件を満たすシステムであれば、どのようなシステムでもよいとする。
【００２１】
図２は、物流ネットワークの例を示しており、この実施形態はこの物流ネットワークを前提に記述している。
【００２２】
図３は、拠点別在庫実績ファイル（１１０）のテーブル図であり、拠点別在庫実績を時系列に蓄積したファイルのテーブル図を示している。
【００２３】
図４は、出荷実績ファイル（１３０）のテーブル図であり、拠点別出荷実績を時系列に蓄積したファイルのテーブル図を示している。
【００２４】
図５は、商品マスタ（１５０）のテーブル図であり、商品マスタのテーブル図を示している。
【００２５】
図６は、供給（生産）ロットまとめ算出パラメータファイル（１７０）のテーブル図であり、供給（生産）ロットまとめのために発生する在庫量を算出するための条件パラメータのテーブル図を示している。
【００２６】
図７は、正味（需給管理）サイクル算出パラメータファイル（１９０）のテーブル図であり、正味（需給管理）サイクルのために発生する在庫量を算出するための条件パラメータのテーブル図を示している。
【００２７】
図８は、正味安全在庫算出パラメータファイル（２１０）のテーブル図であり、正味安全在庫のために発生する在庫量を算出するための条件パラメータのテーブル図を示している。
【００２８】
図９は、サプライチェーン分散在庫（拠点補充条件）算出パラメータファイル（２３０）のテーブル図であり、サプライチェーン分散在庫のために発生する在庫量を算出するための条件パラメータのテーブル図を示している。
【００２９】
図１０は、供給（生産）ロットまとめ算出（改善後）パラメータファイル（２５０）のテーブル図であり、供給（生産）ロットまとめ（改善後）のために発生する在庫量を算出するための条件パラメータのテーブル図を示している。
【００３０】
図１１は、正味（需給管理）サイクル（改善後）算出パラメータファイル（２７０）のテーブル図であり、正味（需給管理）サイクル（改善後）のために発生する在庫量を算出するための条件パラメータのテーブル図を示している。
【００３１】
図１２は、正味安全在庫算出（改善後）パラメータファイル（２９０）のテーブル図であり、正味安全在庫（改善後）のために発生する在庫量を算出するための条件パラメータのテーブル図を示している。
【００３２】
図１３は、サプライチェーン分散在庫（拠点補充条件）（改善後）算出パラメータファイル（３１０）のテーブル図であり、サプライチェーン分散在庫（改善後）のために発生する在庫量を算出するための条件パラメータのテーブル図を示している。
【００３３】
図１４は、在庫決定要因別在庫分析結果ファイル（３３０）のテーブル図であり、在庫決定要因別の在庫分析結果を蓄積したファイルのテーブル図を示している。
【００３４】
図１５は、在庫削減効果金額換算パラメータファイル（３５０）のテーブル図であり、在庫削減効果を金額換算するためのパラメータファイルのテーブル図を示している。
【００３５】
図１６は、輸送コスト変更額蓄積ファイル（３７０）のテーブル図であり、輸送コスト算出するためのパラメータファイルのテーブル図を示している。
【００３６】
図１７は、生産（段取り）コスト変更額蓄積ファイル（３９０）のテーブル図であり、生産増加（段取り）コスト算出するためのパラメータファイルのテーブル図を示している。
【００３７】
図１８は、時間軸要素による効果試算結果ファイル（４１０）のテーブル図であり、時間軸要素による効果を試算した結果を蓄積したファイルのテーブル図を示している。
【００３８】
図１９は、サプラチェーン要素による効果試算結果ファイル（４３０）のテーブル図であり、サプラチェーン要素による効果を試算した結果を蓄積したファイルのテーブル図を示している。
【００３９】
図２０は、ロット要素による効果試算結果ファイル（４５０）のテーブル図であり、ロット要素による効果を試算した結果を蓄積したファイルのテーブル図を示している。
【００４０】
図２１は、顧客サービス要素による効果試算結果ファイル（４７０）のテーブル図であり、ロット要素による効果を試算した結果を蓄積したファイルのテーブル図を示している。
【００４１】
図２２〜２７は、本発明を実施するためのフローチャートを示している。これを基に本発明の処理を説明する。
【００４２】
図２２は、メインフローチャートである。
【００４３】
現状在庫分析用パラメータ設定「１００」は、現状在庫分析のための条件パラメータを設定する処理である。（詳細は、図２３  現状在庫分析用パラメータ設定（詳細処理１）を参照）
現状在庫分析用パラメータ／実績ファイル送信「３００」は、顧客端末（１０，３０）から演算装置（５０）へ、各種現状在庫分析用パラメータファイル（１７０〜２３０）及び実績ファイル（１１０〜１５０）を送信する処理である。
【００４４】
現状在庫分析用パラメータ／実績ファイル受信「５００」は、顧客端末（１０，３０）から送信された各種現状在庫分析用パラメータファイル（１７０〜２３０）及び実績ファイル（１１０〜１５０）を演算装置（５０）で受信する処理である。
【００４５】
在庫決定要因別現状在庫分析「７００」は、現状在庫分析用各種パラメータファイル（１７０〜３１０）及び実績ファイル（１１０〜１５０）を基に、在庫決定要因別に現状在庫を分析する処理である。（詳細は、図２４  在庫決定要因別現状在庫分析（詳細処理２）を参照）
現状在庫分析結果送信「９００」は、演算装置（５０）から顧客端末（１０，３０）へ、在庫決定要因別在庫分析結果ファイル（３３０）を送信する処理である。
【００４６】
現状在庫分析結果受信「１１００」は、顧客端末（１０，３０）から送信された在庫決定要因別在庫分析結果ファイル（３３０）を演算装置（５０）で受信する処理である。
【００４７】
現状在庫分析結果照会「１３００」は、顧客端末（１０，３０）にて在庫決定要因別在庫分析結果ファイル（３３０）を照会する処理である。
【００４８】
効果試算用パラメータ設定「１５００」は、現状在庫分析結果を基に立案した在庫削減施策、の効果を試算するために条件パラメータを設定する処理である。（詳細は、図２５  効果試算用パラメータ設定（詳細処理３）を参照）
効果試算用パラメータ送信「１７００」は、顧客端末（１０，３０）から演算装置（５０）へ、各種改善後在庫分析用パラメータファイル（２５０〜３１０）及び各種金額換算パラメータファイル（３５０〜３９０）を送信する処理である。
【００４９】
効果試算用パラメータ受信「１９００」は、顧客端末（１０，３０）から送信された各種改善後在庫分析用パラメータファイル（２５０〜３１０）及び各種金額換算パラメータファイル（３５０〜３９０）を演算装置（５０）で受信する処理である。
【００５０】
在庫削減施策別効果試算「２１００」は、各種現状在庫分析用パラメータファイル（１７０〜２３０）及び各種改善後在庫分析用パラメータファイル（２５０〜３１０）、各種実績ファイル（１１０〜１５０）、各種金額換算パラメータファイル（３５０〜３９０）を基に、在庫削減施策別に効果試算をする処理である。（詳細は、図２６  在庫削減施策別効果試算（詳細処理４）を参照）
効果試算結果送信「２３００」は、演算装置（５０）から顧客端末（１０，３０）へ、各種効果試算結果ファイル（４１０〜４９０）を送信する処理である。
【００５１】
効果試算結果受信「２５００」は、顧客端末（１０，３０）から送信された各種効果試算結果ファイル（４１０〜４９０）を演算装置（５０）で受信する処理である。
【００５２】
効果試算結果照会「２７００」は、顧客端末（１０，３０）にて各種効果試算結果ファイル（４１０〜４９０）を照会する処理である。
【００５３】
図２３は、現状在庫分析のための条件パラメータを設定する処理である。
【００５４】
供給（生産）ロットまとめ在庫算出パラメータ設定（１０１）は、供給（生産）ロットまとめのために発生する在庫の量を算出するための条件パラメータである、「供給（生産）ロット（数量）」、「供給（生産）ロット（月数）」をアイテム別に登録する処理である。
【００５５】
正味（需給管理）サイクル在庫算出パラメータ設定（１０３）は、正味（需給管理）サイクルのために発生する在庫の量を算出するための条件パラメータである、「需給管理サイクル」アイテム別に登録する処理である。
【００５６】
正味安全在庫算出パラメータ設定（１０５）は、正味安全在庫のために発生する在庫の量を算出するための条件パラメータである、「在庫サービス率」「在庫サービス係数」「供給（生産）リードタイム」「需要予測精度（誤差標準偏差）」をアイテム別に登録する処理である。
【００５７】
サプライチェーン分散在庫算出パラメータ設定（１０７）は、サプライチェーンの分散のために発生する在庫量を算出するための条件パラメータである、「在庫サービス率」「在庫サービス係数」「補充リードタイム」「補充サイクル」「需要予測精度（誤差標準偏差）」をアイテム別拠点別に登録する処理である。
【００５８】
図２４  在庫決定要因別現状在庫分析（詳細処理２）は、在庫決定要因別に在庫量を算出する処理である。
【００５９】
アイテム別総在庫実績数量算出（７０１）は、拠点別在庫実績ファイル（１１０）を基に、各月末在庫の平均をとり、全ての拠点在庫を合計した総在庫を、アイテム別に集計する処理である。
【００６０】
総在庫実績数＝（全ての拠点の在庫）の和に（各月末在庫実績数の平均値）をかけたもの。
【００６１】
供給（生産）ロットまとめ在庫数量算出（７０３）は、供給（生産）ロットまとめのために、発生する在庫量を算出する処理である。
供給（生産）ロットまとめ算出パラメータファイル（１７０）を基に、下記式より供給（生産）ロットまとめ在庫数量を算出する。  供給（生産）ロットまとめ在庫数量＝供給（生産）ロット（数量）／２
正味（需給管理）サイクル在庫数量算出（７０５）は、正味（需給管理）サイクルのために、発生する在庫量を算出する処理である。
【００６２】
出荷実績ファイル（１３０）を基に、各月出荷量の平均をとり、全ての拠点を合計した総出荷を、アイテム別に集計する。
【００６３】
出荷実績数＝（全ての拠点の在庫）の和に（各月出荷実績数の平均値）をかけたもの
正味（需給管理）サイクル算出パラメータファイル（１９０）を基に、下記式より、正味（需給管理）サイクル在庫数量を算出する。
【００６４】
正味（需給管理）サイクル在庫数量＝需給管理サイクル×出荷実績数／２
（１）供給（生産）ロットまとめ在庫数量＞正味（需給管理）サイクル在庫の場合、
供給（生産）ロットまとめ在庫数量＝０
需給管理サイクルよりも供給（生産）ロットの方が小さい場合は、供給（生産）ロットの影響をうけないため、供給（生産）ロットまとめによる在庫は発生しないと考えている。    
（２）供給（生産）ロットまとめ数量＜正味（需給管理）サイクル在庫数量の場合、
供給（生産）ロットまとめ在庫数量＝正味（需給管理）サイクル在庫数量
−供給（生産）ロットまとめ在庫数量
需給管理サイクルよりも供給（生産）ロットの方が大きい場合は、供給（生産）ロットのための纏め供給（生産）により在庫が発生したと考え、需給管理サイクルによるまとめ供給（生産）分を引いた分を供給（生産）ロットまとめ在庫と考えている。    
正味安全在庫数量算出（７０７）は、需要のブレを吸収するための安全在庫のために発生する在庫量を算出する処理である。
正味安全在庫算出パラメータファイル（２１０）を基に、下記式より正味安全在庫数量を算出する。
【００６５】
正味安全在庫数量＝在庫サービス係数×√（供給（生産）リードタイム）×需給予測精度
サプライチェーン分散（縦の分散）在庫数量算出（７０９）は、「顧客への納入リードタイム」を短く維持するための「下流拠点」への在庫分散しているために発生する在庫量を算出する処理である。
【００６６】
サプライチェーン分散在庫（拠点補充条件）在庫算出パラメータファイル（２３０）を基に、下記式（数１）よりサプライチェーン分散（縦の分散）在庫数量を算出する。
【００６７】
【数１】
2005212932.tif 000003
サプライチェーン分散（横の分散）在庫数量算出（７１１）は、「上流拠点」の在庫が分散しているために、余分な安全在庫を確保するために発生する在庫量を算出する処理である。
【００６８】
サプライチェーン分散在庫（拠点補充条件）在庫算出パラメータファイル（２３０）を基に、下記式（数２）よりサプライチェーン分散（横の分散）在庫数量を算出する。
【００６９】
【数２】
2005212932.tif 000004
本来不要在庫数量算出（７１３）は、現状のサプライチェーン構造を前提としても保有する必要のない在庫である本来不要在庫量を算出する処理である。
【００７０】
下記式より本来不要在庫数量を算出する。
本来不要在庫数量＝総在庫実績数−供給（生産）ロットまとめ在庫数量−正味（需給管理）サイクル在庫数量−正味安全在庫数量−サプラチェーン（縦の分散）在庫数量−サプラチェーン（縦の分散）在庫数量
図２５  効果算出用パラメータ設定（詳細処理３）は、在庫削減施策の効果を試算するための条件パラメータを設定する処理である。
【００７１】
在庫削減効果金額換算パラメータ設定（１５０１）は、在庫削減効果を金額算出するための条件パラメータである、「金利」「保管単価」を登録する処理である。
【００７２】
輸送コスト変更額設定（１５０３）は、輸送コストを変更額をアイテム別に設定する処理である。  
生産（段取り）コスト変更額設定（１５０５）は、生産（段取り）コストを変更額をアイテム別に設定する処理である。
【００７３】
時間軸要素での施策による効果試算パラメータ設定（１５０７）は、時間軸要素の施策による、在庫削減効果及びその他効果を施策するための条件を設定する処理である。
時間軸要素項目は、下記である。
需給管理サイクル変更
供給リードタイム変更
補充サイクル変更
補充リードタイム変更
結果を、供給（生産）ロットまとめ算出パラメータファイル（改善後）（２５０）、正味（需給管理）サイクル算出パラメータファイル（改善後）（２７０）、サプライチェーン分散在庫（拠点補充条件）算出パラメータファイル（改善後）（３１０）の該当項目に登録する。
【００７４】
時間軸要素の変更により、変更となった輸送コストを輸送コスト変更額蓄積ファイル（３７０）に登録する。
【００７５】
サプライチェーン要素での施策による効果試算パラメータ設定（１５０９）は、サプライチェーン要素の施策による、在庫削減効果及びその他効果を施策するための条件を設定する処理である。
サプライチェーン要素項目は、下記である。
下流拠点の上流拠点への集約
下流拠点間、上流拠点間の横の集約結果を、サプライチェーン分散在庫（拠点補充条件）算出パラメータファイル（改善後）（３１０）の該当項目に登録する。
【００７６】
サプライチェーン要素の変更により、変更となった輸送コストを輸送コスト変更額蓄積ファイル（３７０）に登録する。
【００７７】
ロット要素での施策による効果試算パラメータ設定（１５１１）は、ロット要素の施策による、在庫削減効果及びその他効果を施策するための条件を設定する処理である。
【００７８】
ロット要素項目は、下記である。
供給（生産）ロットと需給管理サイクルとの不整合結果を、供給（生産）ロットまとめ算出パラメータファイル（改善後）（２５０）、正味（需給管理）サイクル算出パラメータファイル（改善後）（２７０）の該当項目に登録する。
【００７９】
ロット要素の変更により、変更となった生産コストを生産（段取り）コスト変更額蓄積ファイル（３９０）に登録する。
【００８０】
顧客サービス要素での施策による効果試算パラメータ設定（１５１３）は、顧客サービス要素の施策による、在庫削減効果及びその他効果を施策するための条件を設定する処理である。
顧客サービス要素項目は、下記である。
顧客への在庫サービス率の変更
顧客への納入リードタイムの変更
結果を、サプライチェーン分散在庫（拠点補充条件）算出パラメータファイル（改善後）（３１０）の該当項目に登録する。
【００８１】
顧客サービス要素の変更により、変更となった輸送コストを輸送コスト変更額蓄積ファイル（３７０）に登録する。
図２６  在庫削減施策別効果試算（詳細処理４）は、在庫削減施策別に効果試算をする処理である。
【００８２】
時間軸要素での施策による効果試算（２１０１）は、時間軸要素による効果を試算する処理である。
【００８３】
供給（生産）ロットまとめ算出パラメータファイル（改善後）（２５０）、正味（需給管理）サイクル算出パラメータファイル（改善後）（２７０）、サプライチェーン分散在庫（拠点補充条件）算出パラメータファイル（改善後）（３１０）を基に、在庫決定要因別現状在庫分析（７００）と同様の処理を行い、改善後の在庫決定要素別の在庫量を算出する。
【００８４】
下記式（数３）により、時間軸要素による効果を試算し、時間軸要素による効果試算結果ファイル（４１０）に登録する。
【００８５】
【数３】
2005212932.tif 000005
サプライチェーン要素での施策による効果試算（２１０３）は、サプライチェーン要素による効果を試算する処理である。
【００８６】
サプライチェーン分散在庫（拠点補充条件）算出パラメータファイル（改善後）（３１０）を基に、在庫決定要因別現状在庫分析（７００）と同様の処理を行い、改善後の在庫決定要素別の在庫量を算出する。
【００８７】
輸送コスト変更額蓄積ファイル（３７０）より、輸送コスト変更額を算出する。
【００８８】
下記式（数４）により、サプライチェーン要素による効果を試算し、サプライチェーン要素による効果試算結果ファイル（４３０）に登録する。
【００８９】
【数４】
2005212932.tif 000006
ロット要素での施策による効果試算（２１０５）は、ロット要素による効果を試算する処理である。
【００９０】
供給（生産）ロットまとめ算出パラメータファイル（改善後）（２５０）、正味（需給管理）サイクル算出パラメータファイル（改善後）（２７０）を基に、在庫決定要因別現状在庫分析（７００）と同様の処理を行い、改善後の在庫決定要素別の在庫量を算出する。
生産（段取り）コスト変更額蓄積ファイル（３９０）より、生産コスト変更額を算出する。
【００９１】
下記式（数５）により、ロット要素による効果を試算し、ロット要素による効果試算結果ファイル（４５０）に登録する。
【００９２】
【数５】
2005212932.tif 000007
顧客サービス要素での施策による効果試算（２１０７）は、顧客サービス要素による効果を試算する処理である。
【００９３】
サプライチェーン分散在庫（拠点補充条件）算出パラメータファイル（改善後）（３１０）を基に、在庫決定要因別現状在庫分析（７００）と同様の処理を行い、改善後の在庫決定要素別の在庫量を算出する。
【００９４】
輸送コスト変更額蓄積ファイル（３７０）より、輸送コスト変更額を算出する。
【００９５】
下記式（数６）により、顧客サービス要素による効果を試算し、顧客サービス要素による効果試算結果ファイル（４７０）に登録する。
【００９６】
【数６】
2005212932.tif 000008
【産業上の利用可能性】
【００９７】
本発明は、在庫管理を、コンピュータを用いて実現することが可能になる。
【図面の簡単な説明】
【００９８】
【図１】本発明を行うためのシステム構成図である。
【図２】物流ネットワーク図である。
【図３】拠点別在庫実績ファイルのテーブル図である。
【図４】出荷実績ファイルのテーブル図である。
【図５】商品マスタのテーブル図である。
【図６】供給（生産）ロットまとめ算出パラメータファイルのテーブル図である。
【図７】正味（需給管理）サイクル算出パラメータファイルのテーブル図である。
【図８】正味安全在庫算出パラメータファイルのテーブル図である。
【図９】サプライチェーン分散在庫（拠点補充条件）算出パラメータファイルのテーブル図である。
【図１０】供給（生産）ロットまとめ算出（改善後）パラメータファイルのテーブル図である。
【図１１】正味（需給管理）サイクル（改善後）算出パラメータファイルのテーブル図である。
【図１２】正味安全在庫算出（改善後）パラメータファイルのテーブル図である。
【図１３】サプライチェーン分散在庫（拠点補充条件）（改善後）算出パラメータファイルのテーブル図である。
【図１４】在庫決定要因別在庫分析結果ファイルのテーブル図である。
【図１５】在庫削減効果金額換算パラメータファイルのテーブル図である。
【図１６】輸送コスト変更額蓄積ファイルのテーブル図である。
【図１７】生産（段取り）コスト変更額蓄積ファイルのテーブル図である。
【図１８】時間軸要素による効果試算結果ファイルのテーブル図である。
【図１９】サプラチェーン要素による効果試算結果ファイルのテーブル図である。
【図２０】ロット要素による効果試算結果ファイルのテーブル図である。
【図２１】顧客サービス要素による効果試算結果ファイルのテーブル図である。
【図２２】メインフローチャートである。
【図２３】現状在庫分析用パラメータ設定（詳細処理１）のフローチャートである。
【図２４】在庫決定要因別現状在庫分析（詳細処理２）のフローチャートである。
【図２５】効果試算用パラメータ設定（詳細処理３）のフローチャートである。
【図２６】在庫削減施策別効果試算（詳細処理４）のフローチャートである。
【符号の説明】
【００９９】
１０、３０  顧客端末
５０  演算装置
１１０  拠点別在庫実績ファイル
１３０  出荷実績ファイル
１５０  商品マスタ
１７０  供給（生産）ロットまとめ算出パラメータファイル  
１９０  正味（需給管理）サイクル算出パラメータファイル
２１０  正味安全在庫算出パラメータファイル
２３０  サプライチェーン分散在庫（拠点補充条件）算出パラメータファイル
２５０  供給（生産）ロットまとめ算出（改善後）パラメータファイル
２７０  正味（需給管理）サイクル（改善後）算出パラメータファイル
２９０  正味安全在庫算出（改善後）パラメータファイル
３１０  サプライチェーン分散在庫（拠点補充条件）（改善後）算出パラメータファイル
３３０  在庫決定要因別在庫分析結果ファイル
３５０  在庫削減効果金額換算パラメータファイル
３７０  輸送コスト変更額蓄積ファイル
３９０  生産（段取り）コスト変更額蓄積ファイル
４１０時間軸要素による効果試算結果ファイル
４３０  サプラチェーン要素による効果試算結果ファイル
４５０  ロット要素による効果試算結果ファイル
４７０  顧客サービス要素による効果試算結果ファイル
【図１】
2005212932.tif 000009
【図２】
2005212932.tif 000010
【図３】
2005212932.tif 000011
【図４】
2005212932.tif 000012
【図５】
2005212932.tif 000013
【図６】
2005212932.tif 000014
【図７】
2005212932.tif 000015
【図８】
2005212932.tif 000016
【図９】
2005212932.tif 000017
【図１０】
2005212932.tif 000018
【図１１】
2005212932.tif 000019
【図１２】
2005212932.tif 000020
【図１３】
2005212932.tif 000021
【図１４】
2005212932.tif 000022
【図１５】
2005212932.tif 000023
【図１６】
2005212932.tif 000024
【図１７】
2005212932.tif 000025
【図１８】
2005212932.tif 000026
【図１９】
2005212932.tif 000027
【図２０】
2005212932.tif 000028
【図２１】
2005212932.tif 000029
【図２２】
2005212932.tif 000030
【図２３】
2005212932.tif 000031
【図２４】
2005212932.tif 000032
【図２５】
2005212932.tif 000033
【図２６】
2005212932.tif 000034